(57)【要約】      （修正有）【課題】一段のてこの原理による解放レバーを用いてもブレーキ解放用ボルト等の変形のないエレベータ巻上機用ブレーキの解放装置を提供する。【解決手段】ブレーキドラム内部に配置され、可動鉄心８を摺動可能に貫通して固定鉄心６にねじ込まれるブレーキ解放用締結具と、ブレーキ解放用締結具の座面と面接触してブレーキ解放用締結具及び可動鉄心８の間に配置され、ブレーキドラムの開口部側から可動鉄心８との間に挿入される解放レバー１５との接触部が可動鉄心６を固定鉄心６側に押し込む時の支点となるブレーキ解放用特殊座金とを備える構成とした。【選択図】図５
2008207934.tif 000002
【特許請求の範囲】
【請求項１】
ブレーキドラムと、固定鉄心と、可動鉄心と、制動ばねと、
を有する電磁ブレーキを解放するエレベータ巻上機用ブレーキの解放装置において、
前記ブレーキドラム内部に配置され、前記可動鉄心を摺動可能に貫通して前記固定鉄心にねじ込まれるブレーキ解放用締結具と、
前記ブレーキ解放用締結具の座面と面接触して前記ブレーキ解放用締結具及び前記可動鉄心の間に配置され、前記ブレーキドラムの開口部側から前記可動鉄心との間に挿入される解放レバーとの接触部が前記可動鉄心を前記固定鉄心側に押し込む時の支点となるブレーキ解放用特殊座金と、
を備えたことを特徴とするエレベータ巻上機用ブレーキの解放装置。
【請求項２】
ブレーキ解放用特殊座金は、ブレーキ解放用締結具の締結部にがたつきなく貫通されることを特徴とする請求項１記載のエレベータ巻上機用ブレーキの解放装置。
【請求項３】
ブレーキドラムと、固定鉄心と、可動鉄心と、制動ばねと、
を有する電磁ブレーキを解放するエレベータ巻上機用ブレーキの解放装置において、
前記ブレーキドラム内部に配置され、前記可動鉄心を摺動可能に貫通して前記固定鉄心にねじ込まれるブレーキ解放用締結具を備え、
前記ブレーキ解放用締結具は、座面と前記可動鉄心の間に、座面と面接触して前記ブレーキ解放用締結具及び前記可動鉄心の間に配置されて前記ブレーキドラムの開口部側から前記可動鉄心との間に挿入される解放レバーとの接触部が前記可動鉄心を前記固定鉄心側に押し込む時の支点となるブレーキ解放用特殊座金を挿入する隙間が形成されていることを特徴とするエレベータ巻上機用ブレーキの解放装置。
【請求項４】
ブレーキドラム内部に配置される可動鉄心を摺動可能に貫通して固定鉄心にねじ込まれるブレーキ解放用締結具と、
前記ブレーキ解放用締結具の座面と面接触して前記ブレーキ解放用締結具及び前記可動鉄心の間に配置され、前記ブレーキドラムの開口部側から前記可動鉄心との間に挿入される解放レバーとの接触部が前記可動鉄心を前記固定鉄心側に押し込む時の支点となるブレーキ解放用特殊座金と、
を備えた電磁ブレーキを解放するエレベータ巻上機用ブレーキの解放方法において、
略Ｌ字状の前記解放レバーの一片を前記ブレーキ解放用特殊座金と前記可動鉄心の間に挿入して、他片を前記ブレーキドラムの開口部側に移動させて前記電磁ブレーキを解放することを特徴とするエレベータ巻上機用ブレーキの解放方法。
【請求項５】
ブレーキドラム内部に配置され、可動鉄心を摺動可能に貫通して固定鉄心にねじ込まれるブレーキ解放用締結具を備え、前記ブレーキ解放用締結具は、座面と前記可動鉄心の間に、前記座面と面接触して前記ブレーキ解放用締結具及び前記可動鉄心の間に配置されて前記ブレーキドラムの開口部側から前記可動鉄心との間に挿入される解放レバーとの接触部が前記可動鉄心を前記固定鉄心側に押し込む時の支点となるブレーキ解放用特殊座金を挿入する隙間が形成されている電磁ブレーキを解放するエレベータ巻上機用ブレーキの解放方法において、
前記隙間に、前記ブレーキドラムの開口部側から切り欠き部で前記ブレーキ開放用締結具の締結部の一部を受け入れながら前記ブレーキ解放用特殊座金が挿入された後、略Ｌ字状の前記解放レバーの一片を前記ブレーキ解放用特殊座金と前記可動鉄心の間に挿入して、他片を前記ブレーキドラムの開口部側に移動させて前記電磁ブレーキを解放することを特徴とするエレベータ巻上機用ブレーキの解放方法。
【請求項６】
ブレーキドラム内部に配置され、可動鉄心を摺動可能に貫通して固定鉄心にねじ込まれるブレーキ解放用締結具を備え、前記ブレーキ解放用締結具は、座面と前記可動鉄心の間に、前記座面と面接触して前記ブレーキ解放用締結具及び前記可動鉄心の間に配置されて前記ブレーキドラムの開口部側から前記可動鉄心との間に挿入される解放レバーとの接触部が前記可動鉄心を前記固定鉄心側に押し込む時の支点となるブレーキ解放用特殊座金を挿入する隙間が形成されている電磁ブレーキを解放するエレベータ巻上機用ブレーキの解放方法において、
前記隙間に、前記ブレーキドラムの開口部側から切り欠き部で前記ブレーキ解放用締結具の締結部の一部を受け入れながら前記ブレーキ解放用特殊座金が挿入されて前記締結部を軸として回転された後、略Ｌ字状の前記解放レバーの一片を前記ブレーキ解放用特殊座金と可動鉄心の間に挿入して、他片を前記ブレーキドラムの開口部側に移動させることにより、前記ブレーキ解放用特殊座金の前記切り欠き部の形成されていない箇所と前記解放レバーとの接触部を支点として前記電磁ブレーキを解放することを特徴とするエレベータ巻上機用ブレーキの解放方法。
【請求項７】
ブレーキ解放用特殊座金と解放レバーの接触部は、ブレーキ解放用締結具の締結方向と直交する鉛直投影面において、前記ブレーキ解放用締結具の頭部縁部と前記解放レバーの切り欠き部縁部の重合点よりもブレーキドラムの開口部側に引っ込むように配置されることを特徴とする請求項４〜請求項６のいずれかに記載のエレベータ巻上機用ブレーキの解放方法。
【発明の詳細な説明】
【技術分野】
【０００１】
この発明は、エレベータ巻上機用ブレーキの解放装置及びそのブレーキの解放方法に関するものである。
【背景技術】
【０００２】
従来のエレベータ巻上機用ブレーキの解放装置を図９〜図１１を用いて説明する。図９は従来のエレベータ巻上機用ブレーキの解放装置の操作前の状態を示す要部横断面図、図１０は従来のエレベータ巻上機用ブレーキの解放装置の操作中の状態を示す要部横断面図、図１１は従来のエレベータ巻上機用ブレーキの解放装置の要部側面図である。
【０００３】
従来のエレベータの駆動綱車（図示せず）を備えたこの巻上機（図示せず）には、停電時等に備えて、動力が遮断された際に電動機（図示せず）の回転を自動的に制止する電磁ブレーキ（図９〜図１１においては図示せず）が設けられており、実際に動力が遮断された場合には、この電磁ブレーキにより駆動綱車の回転が制止され、かご（図示せず）の昇降が強制的に停止される。かごの昇降中にかかる状況が発生した場合、かごは通常運転時の停止位置とは無関係に停止するため、その後のかご内の乗客の救出の際には、電磁ブレーキを解放してかごを最寄りの乗場まで上昇若しくは下降させる必要がある。このため、巻上機には、動作した電磁ブレーキを解放させるブレーキ解放装置が備えられている。
【０００４】
図において、内格式の電磁ブレーキの可動鉄心８を摺動可能に貫通するブレーキ解放用ボルト１３が固定鉄心６にねじ込まれている。このブレーキ解放用ボルト１３は、完全にはねじ込まれておらず、ブレーキ解放用ボルト１３の頭部と可動鉄心８の間に、解放レバー１５が引っ掛かる構成となっている。このブレーキ解放装置により、電磁ブレーキを解放する際には、いわゆる釘抜きの要領で、図１０に示すブレーキ解放用ボルト１３の頭部と解放レバー１５の接点（Ａ点）を支点、可動鉄心８と解放レバー１５の接点（Ｂ点）を作用点、解放レバー１５の操作部を力点として、一段のてこの原理により可動鉄心８を固定鉄心６側に押し込む。この動作により、制動ばね９の復元力に抗して、電磁ブレーキを解放させることができる。この時、解放レバー１５の操作部が長ければ、レバー比（支点及び作用点の間の距離と支点及び力点の間の距離の比）を上げることができ、電磁ブレーキを解放するための解放レバー１５の操作力を小さくすることができる。
【０００５】
また、別の従来技術として、回転軸上にスプライン結合された少なくとも１個の摩擦円板と、この摩擦円板を挟圧する位置に配置されたアーマチュア及び少なくとも１個のプレートと、前記アーマチュアを前記摩擦円板側に押圧する制動ばねと、前記アーマチュアに対向し磁束を発生するコイルを内蔵するフィールドコアとを備え、略門形のフレームの各々の先端部に設けた２本のピン部材を装着し、このピン部材を前記摩擦円板を挟むアーマチュア、プレートで形成される隙間に挿入し、前記２本のピン部材をそれぞれ支点、作用点として前記フレームを回動することにより、前記摩擦円板の挟圧を解除し制動力を解放するエレベータ巻上機用ブレーキの解放装置が提案されている（例えば、特許文献１参照）。
【０００６】
【特許文献１】特開２００１―１２４１１６号公報
【発明の開示】
【発明が解決しようとする課題】
【０００７】
従来のブレーキ解放装置においては、ブレーキ解放用ボルト１３の頭部と解放レバー１５の接点からなる支点は、図１０、図１１に示すようにＡ点からなる二点の点接触となるため、レバー比が小さい場合は特に問題とならないが、レバー比を非常に高くすると、ブレーキ解放用ボルト１３と解放レバー１５の点接触部に局部的で非常に高い面圧がかかることがある。この場合、ブレーキ解放用ボルト１３又は解放レバー１５のいずれかが素材の降伏点を越えて変形してしまい、正規のレバー比をとることができなくなる結果、解放レバー１５の操作力が大きくなり、電磁ブレーキの解放が困難となるという問題があった。
【０００８】
また、特許文献１記載のものは、ディスクブレーキ用の電磁ブレーキのブレーキ解放装置であって、上記の問題を特に考慮したものではない。
【０００９】
この発明は、上述のような課題を解決するためになされたもので、その目的は、一段のてこの原理による解放レバーを用いてもブレーキ解放用ボルト等の変形のないエレベータ巻上機用ブレーキの解放装置を提供することである。
【課題を解決するための手段】
【００１０】
この発明に係るエレベータ巻上機用ブレーキの解放装置は、ブレーキドラム内部に配置され、可動鉄心を摺動可能に貫通して固定鉄心にねじ込まれるブレーキ解放用締結具と、前記ブレーキ解放用締結具の座面と面接触して前記ブレーキ解放用締結具及び前記可動鉄心の間に配置され、前記ブレーキドラムの開口部側から前記可動鉄心との間に挿入される解放レバーとの接触部が前記可動鉄心を前記固定鉄心側に押し込む時の支点となるブレーキ解放用特殊座金とを備えたものである。
【発明の効果】
【００１１】
この発明は、ブレーキドラム内部に配置され、可動鉄心を摺動可能に貫通して固定鉄心にねじ込まれるブレーキ解放用締結具と、前記ブレーキ解放用締結具の座面と面接触して前記ブレーキ解放用締結具及び前記可動鉄心の間に配置され、前記ブレーキドラムの開口部側から前記可動鉄心との間に挿入される解放レバーとの接触部が前記可動鉄心を前記固定鉄心側に押し込む時の支点となるブレーキ解放用特殊座金とを備える構成としたことで、一段のてこの原理による解放レバーを用いてもブレーキ解放用ボルト等の変形のないエレベータ巻上機用ブレーキの解放装置を提供することができる。
【発明を実施するための最良の形態】
【００１２】
この発明をより詳細に説明するため、添付の図面に従ってこれを説明する。なお、各図中、同一又は相当する部分には同一の符号を付しており、その重複説明は適宜に簡略化ないし省略する。
【００１３】
実施の形態１．
図１はこの発明の実施の形態１におけるエレベータ巻上機用ブレーキの解放装置が取り付けられるエレベータの巻上機の正面図であって、要部のみ断面で示す図、図２はこの発明の実施の形態１におけるエレベータ巻上機用ブレーキの解放装置の操作前の状態を示す要部横断面図、図３は図２の要部拡大図、図４はこの発明の実施の形態１におけるエレベータ巻上機用ブレーキの解放装置の要部側面図、図５はこの発明の実施の形態１におけるエレベータ巻上機用ブレーキの解放装置の操作中の状態を示す要部横断面図、図６はこの発明の実施の形態１におけるエレベータ巻上機用ブレーキの解放装置を使用してかご内の乗客を救出する手順を示すフローチャートである。
【００１４】
一般に、エレベータのかご（図示せず）が主索（図示せず）により懸吊されるロープ式エレベータ装置では、かごは、主索が巻上機の駆動綱車（図示せず）に巻き掛けられることにより、この駆動綱車の回転に連動して昇降路（図示せず）内を昇降するように構成される。駆動綱車を備えたこの巻上機には、停電時等に備えて、動力が遮断された際に電動機の回転を自動的に制止する電磁ブレーキ１が設けられており、実際に動力が遮断された場合には、この電磁ブレーキ１により駆動綱車の回転が制止され、かごの昇降が強制的に停止される。かごの昇降中にかかる状況が発生した場合、かごは通常運転時の停止位置とは無関係に停止するため、その後のかご内の乗客の救出の際には、電磁ブレーキ１を手動で解放してかごを最寄りの乗場まで上昇若しくは下降させる必要がある。このため、巻上機には、動作した電磁ブレーキ１を手動で解放させるブレーキ解放装置が備えられている。この発明は、ブレーキ解放装置に特徴を備えたものである。以下、この発明のブレーキ解放装置を詳細に説明する。
【００１５】
図１において、２は巻上機のハウジングであり、その中央には水平方向に延びる主軸３が固定されている。この主軸３には、ベアリング（図示せず）等を介して、一側に形成され、主索が巻き掛けられる駆動綱車と、他側に形成される円筒部から構成される回転体４が回転自在に取り付けられている。この回転体４は、例えば、ハウジング２内面の所定位置に固定される固定子巻線（図示せず）と、回転体４の円筒部外周面に設けられる電機子（図示せず）によって構成される電動機により回転駆動され、回転体４の円筒部内部に配置される内格式の電磁ブレーキ１により回転が制動される。即ち、駆動綱車とともに回転体４に形成される円筒部は、電磁ブレーキ１のブレーキドラム５としても機能している。
【００１６】
ここで、電磁ブレーキ１の固定鉄心６は、中央を主軸３に貫通されており、そのブレーキドラム５内周面側に配置される両側面近傍の中央に一対のコイル７が配置されている。また、固定鉄心６の両側面に対向して一対の可動鉄心８が配置され、固定鉄心６及び一対の可動鉄心８の互いの対向面の上下端部近傍に形成される凹部に挟み込まれるように一対の制動ばね９が、それぞれ、配置されている。さらに、一対の可動鉄心８の固定鉄心６との対向面の反対面からなるブレーキドラム制動部取付面には、上下端部近傍から水平方向にブレーキドラム５内周面側に延びるように固定される一対の支持軸１０を介して、ブレーキドラム５内周面との対向面が湾曲形成されるブレーキシュー１１が、それぞれ、取り付けられている。このブレーキシュー１１の湾曲面の上下端部近傍には、一対のブレーキライニング１２が、それぞれ、取り付けられている。
【００１７】
この電磁ブレーキ１は、コイル７に通電される場合は、可動鉄心８が固定鉄心６に制動ばね９の復元力に抗して吸着される結果、支持軸１０、ブレーキシュー１１を介してブレーキライニング１２が固定鉄心６側に移動し、ブレーキドラム５内周面との接触が解放され、ブレーキドラム５を構成する回転体４の制動が解放される。一方、コイル７への通電が遮断がされる場合は、可動鉄心８の固定鉄心６への吸着が解放され、制動ばね９の復元力で可動鉄心８がブレーキドラム５内周面側に移動される結果、支持軸１０、ブレーキシュー１１を介してブレーキライニング１２がブレーキドラム５内周面に接触され、ブレーキドラム５を構成する回転体４が制動される。
【００１８】
即ち、電磁ブレーキ１は、コイル７への通電及び通電の遮断により、ブレーキドラム５内周面との接触の解放及び接触の動作を行って回転体４の制動の解放及び制動を行うブレーキシュー１１及びブレーキライニング１２からなる一対のブレーキドラム制動部が、支持軸１０を介して、一対の可動鉄心８のブレーキドラム制動部取付面に取り付けられる構成となっている。
【００１９】
また、固定鉄心６の両側面の中央には、ブレーキドラム制動部取付面側から可動鉄心８を摺動可能に貫通する一対のブレーキ解放用締結具を構成するブレーキ解放用ボルト１３が所定量ねじ込まれて固定されている。これらのブレーキ解放用ボルト１３の座面と可動鉄心８のブレーキドラム制動部取付面の間には、中央の丸穴をブレーキ解放用ボルト１３の締結部にがたつきなく貫通され、ブレーキ解放用ボルト１３の座面のほぼ全面と面接触し、ブレーキ解放用ボルト１３よりも低い硬度の素材で形成されるブレーキ解放用特殊座金１４が、それぞれ、配置されている。
【００２０】
これらのブレーキ解放用特殊座金１４は、ブレーキドラム５の開口部側端部が縦断面半円状に形成される一方、ブレーキドラム５の開口部奥側端部が傾斜して形成されている。即ち、ブレーキ解放用特殊座金１４のブレーキドラム５の開口部奥側においては、ブレーキ解放用ボルト１３の座面との対向面縁部が、ブレーキ解放用ボルト１３の頭部のブレーキドラム５の開口部奥側端部よりもブレーキドラム５の開口部奥側に突出するように配置される一方、可動鉄心８のブレーキドラム制動部取付面との対向面縁部が、ブレーキ解放用ボルト１３の頭部のブレーキドラム５の開口部奥側端部よりもブレーキドラム５の開口部側に引っ込むように配置されている。なお、図１においては、一方の可動鉄心８と固定鉄心６の互いの対向面が当接するまで、一方のブレーキ解放用ボルト１３がねじ込まれており、一方のブレーキドラム制動部とブレーキドラム５内周面との接触が解放され、一方のブレーキドラム制動部での回転体４の制動が機械的に完全に解放されている状態を示している。
【００２１】
また、図２は、停電時等で、電磁ブレーキ１により駆動綱車の回転が制動され、強制的に昇降が停止された場合にかご内の乗客を救出する際に操作される解放レバー１５が一方のブレーキ解放用特殊座金１４と一方の可動鉄心８の間に割り込むように挿入された状態を示したものである。この解放レバー１５は、ブレーキ解放用特殊座金１４より高い硬度の素材で横断面略Ｌ字状に形成され、その一片を構成する短片端部には、その外面側に傾斜する略馬蹄形の係合爪が形成されている。即ち、この係合爪は、ブレーキドラム５の開口部奥側中央からブレーキ解放用ボルト１３の締結部の外径よりも高く、かつ、ブレーキ解放用特殊座金１４の高さより低く形成され、ブレーキドラム５の開口部側終端が縦断面半円状に形成される切り欠き部と、この切り欠き部の係合爪外面側、即ち、ブレーキ解放用ボルト１３の座面との対向面側縁部に段差を付けるように形成され、ブレーキ解放用特殊座金１４の高さよりも僅かに高く、ブレーキドラム５の開口部側端部が半円状に形成される凹部からなるブレーキ解放用特殊座金係合部を備えている。この解放レバー１５の係合爪が、制動ばね９の復元力に抗して、ブレーキドラム５の開口部側から一方のブレーキ解放用特殊座金１４と一方の可動鉄心８の互いの対向面の間に割り込むように挿入され、切り欠き部で一方のブレーキ解放用ボルト１３の締結部の一部を受け入れるとともにブレーキ解放用特殊座金係合部で一方のブレーキ解放用特殊座金１４を受け入れている。この時、図４に示すように、一方のブレーキ解放用特殊座金１４は、一方のブレーキ解放用ボルト１３の締結方向と直交する鉛直投影面において、解放レバー１５のブレーキ解放用特殊座金係合部底面との対向面のブレーキドラム５の開口部奥側縁部を、一方のブレーキ解放用ボルト１３の頭部縁部と解放レバー１５の切り欠き部の上下縁部の重合点よりも、ブレーキドラム５の開口部側に引っ込むように配置させる構成となっている。
【００２２】
また、解放レバー１５の短片は、ブレーキドラム５の開口部から主軸３から離れる方向へ斜めに延び、短片と直交する他片を構成する長片からなる操作部は、主軸３の延長線上を横切るように、ブレーキドラム５の開口部から離れる方向に斜めに延びるように配置されている。この操作部がブレーキドラム５の開口部側に移動されると、一段のてこの原理により、一方のブレーキ解放用特殊座金１４の解放レバー１５のブレーキ解放用特殊座金係合部底面との対向面のブレーキドラム５の開口部奥側縁部が、解放レバー１５のブレーキ解放用特殊座金係合部底面と線接触部を構成して支点となり、解放レバー１５の短片内面と係合爪内面の交わり部と一方の可動鉄心８のブレーキドラム制動部取付面の線接触部が作用点となる。その結果、一方の可動鉄心８が制動ばね９の復元力に抗して固定鉄心６側に押し込まれ、一方の可動鉄心８に追従して、一方のブレーキドラム制動部も固定鉄心６側に移動され、一方のドラムブレーキ制動部での回転体４の制動が徐々に解放される。
【００２３】
次に、図６のフローチャートを用いて、停電時等で、電磁ブレーキ１により駆動綱車の回転が制動され、強制的に昇降が停止された場合に、かご内の乗客を救出する手順を説明する。まず、ステップＳ１で、解放レバー１５の係合爪が、制動ばね９の復元力に抗して、ブレーキドラム５の開口部側から一方のブレーキ解放用特殊座金１４と一方の可動鉄心８の互いの対向面の間に割り込むように挿入され、ステップＳ２に進み、救出作業者により解放レバー１５の操作部がブレーキドラム５の開口部側に移動され、一方のブレーキドラム制動部での回転体４の制動が徐々に解放される。その後、ステップＳ３に進み、乗客を含むかごの重量とつり合いおもりの重量のバランスに偏りがある場合等、一方のブレーキドラム制動部での回転体４の制動が完全に解放される前に回転体４が回転可能である場合は、ステップＳ４に進み、一方のブレーキドラム制動部での制動力が調整されながら、かごが建物の所定の階まで移動される。その後、ステップＳ５に進み、建物の所定階の乗場の戸及びかごの戸が戸開され、エレベータの乗客が建物の所定階の乗場から救出される。
【００２４】
一方、ステップＳ３で、乗客を含むかごの重量とつり合いおもりの重量のバランスに偏りがない場合等、一方のブレーキ制動部での回転体４の制動が完全に解放されても回転体４が回転可能でない場合は、ステップＳ６に進み、一方のブレーキ解放用特殊座金１４と一方の可動鉄心８の互いの対向面の間から解放レバー１５の係合爪が取り外された後、一方の可動鉄心８と固定鉄心６の互いの対向面が当接するまで一方のブレーキ解放用ボルト１３が完全にねじ込まれ、一方のブレーキドラム制動部での回転体４の制動が完全に解放される。その後、ステップＳ７に進み、解放レバー１５の係合爪が、制動ばね９の復元力に抗して、ブレーキドラム５の開口部側から他方のブレーキ解放用特殊座金１４と他方の可動鉄心８の互いの対向面の間に割り込むように挿入され、ステップＳ８に進む。ステップＳ８で、救出作業者により解放レバー１５の操作部がブレーキドラム５の開口部側に移動され、他方のブレーキドラム制動部での回転体４の制動が徐々に解放される。その後は、ステップＳ４に戻り、上記で説明した手順でエレベータの乗客が救出される。
【００２５】
以上で説明した実施の形態１によれば、ブレーキ解放用特殊座金１４とブレーキ解放用ボルト１３の座面のほぼ全面が面接触しているため、電磁ブレーキ１の解放操作時においては、ブレーキ解放用ボルト１３の座面全体で荷重を受け、ブレーキ解放用ボルト１３の変形が起こりにくい。また、ブレーキ解放用特殊座金１４は、ブレーキ解放用ボルト１３の締結方向と直交する鉛直投影面において、解放レバー１５のブレーキ解放用特殊座金係合部底面との対向面のブレーキドラム５の開口部奥側縁部を、ブレーキ解放用ボルト１３の頭部縁部と解放レバー１５の切り欠き部の上下縁部の重合点よりも、ブレーキドラム５の開口部側に引っ込むように配置させる構成となっているため、支点及び作用点の間の距離と支点及び力点の間の距離の比からなるレバー比を高くすることができ、解放レバー１５の操作力を小さくできる。
【００２６】
また、ブレーキ解放用特殊座金１４は、ブレーキ解放用ボルト１３及び解放レバー１５よりも低い硬度の素材で形成されているため、万が一、解放レバー１５に過大な荷重がかかった場合に最初に変形する。このため、ブレーキ解放用特殊座金１４の交換のみで再び電磁ブレーキ１の解放操作が可能となり、かご室内の乗客の救出を早急に行うことができる。即ち、諸々の事情を考慮して、ブレーキ解放用ボルト１３、ブレーキ解放用特殊座金１４、解放レバー１５の素材の硬度を選択することにより、解放レバー１５に過大な荷重がかかった場合に最初に変形する部品を選択できる。
【００２７】
実施の形態２．
図７はこの発明の実施の形態２におけるエレベータ巻上機用ブレーキの解放装置の操作中の要部側面図である。
【００２８】
実施の形態２においては、ブレーキ解放用ボルト１３の座面と可動鉄心８のブレーキドラム制動部取付面の間には、ブレーキ解放用特殊座金１４を挿入する隙間が形成されている。また、ブレーキ解放用特殊座金１４には、ブレーキドラム５の開口部奥側中央からブレーキ解放用ボルト１３の締結部の外径よりも僅かに高く形成され、ブレーキ解放用ボルト１３の締結部の一部を受け入れる切り欠き部が形成されている。その他においては、実施の形態１と同様の構成である。この場合、ブレーキ解放用特殊座金１４は、常時、ブレーキ解放用ボルト１３の座面と可動鉄心８のブレーキドラム制動部取付面の間に配置する必要はない。即ち、実際の電磁ブレーキ１の解放操作時に、まず、ブレーキ解放用ボルト１３の座面と可動鉄心８のブレーキドラム制動部取付面の間に形成された隙間に、切り欠き部でブレーキ解放用ボルト１３の締結部の一部を受け入れながらブレーキ解放用特殊座金１４を解放治具として挿入すればよい。その後は、実施の形態１と同様の動作で電磁ブレーキ１を解放できる。
【００２９】
以上で説明した実施の形態２によれば、常時、ブレーキ解放用ボルト１３の座面と可動鉄心８のブレーキドラム制動部取付面の間に配置する必要はないため、電磁ブレーキ１に応じた数量のブレーキ解放用特殊座金１４を製作する必要がなくなる。
【００３０】
実施の形態３．
図８はこの発明の実施の形態３におけるエレベータ巻上機用ブレーキの解放装置の操作中の要部側面図である。
【００３１】
実施の形態３においては、ブレーキ解放用ボルト１３の座面と可動鉄心８のブレーキドラム制動部取付面の間には、ブレーキ解放用特殊座金１４を挿入する隙間が形成されている。また、ブレーキ解放用特殊座金１４には、ブレーキドラム５の開口部側中央からブレーキ解放用ボルト１３の締結部の外径よりも僅かに高く形成され、ブレーキ解放用ボルト１３の締結部の一部を受け入れる切り欠き部が形成されている。その他においては、実施の形態１と同様の構成である。この場合、ブレーキ解放用特殊座金１４は、常時、ブレーキ解放用ボルト１３の座面と可動鉄心８のブレーキドラム制動部取付面の間に配置する必要はない。即ち、実際の電磁ブレーキ１の解放操作時に、まず、ブレーキ解放用ボルト１３の座面と可動鉄心８のブレーキドラム制動部取付面の間に形成された隙間に、切り欠き部でブレーキ解放用ボルト１３の締結部の一部を受け入れながらブレーキ解放用特殊座金１４を解放治具として挿入した後、ブレーキ解放用ボルト１３の締結部を中心軸としてブレーキ解放用特殊座金１４を半回転させればよい。その後は、実施の形態１と同様の動作で電磁ブレーキ１を解放できる。この場合、実施の形態２と異なり、ブレーキ解放用特殊座金１４は、切り欠き部の形成されていない箇所で、解放レバー１５と線接触する構成となる。
【００３２】
以上で説明した実施の形態３によれば、実施の形態２と同様に電磁ブレーキ１に応じた数量のブレーキ解放用特殊座金１４を製作する必要がなくなるだけでなく、ブレーキ解放用特殊座金１４は、切り欠き部の形成されていない箇所で、解放レバー１５と線接触するため、電磁ブレーキ１の解放操作時におけるブレーキ解放用特殊座金１４の変形を確実に防止できる。
【図面の簡単な説明】
【００３３】
【図１】この発明の実施の形態１におけるエレベータ巻上機用ブレーキの解放装置が取り付けられるエレベータの巻上機の正面図であって、要部のみ断面で示す図である。
【図２】この発明の実施の形態１におけるエレベータ巻上機用ブレーキの解放装置の操作前の状態を示す要部横断面図である。
【図３】図２の要部拡大図である。
【図４】この発明の実施の形態１におけるエレベータ巻上機用ブレーキの解放装置の要部側面図である。
【図５】この発明の実施の形態１におけるエレベータ巻上機用ブレーキの解放装置の操作中の状態を示す要部横断面図である。
【図６】この発明の実施の形態１におけるエレベータ巻上機用ブレーキの解放装置を使用してかご内の乗客を救出する手順を示すフローチャートである。
【図７】この発明の実施の形態２におけるエレベータ巻上機用ブレーキの解放装置の操作中の要部側面図である。
【図８】この発明の実施の形態３におけるエレベータ巻上機用ブレーキの解放装置の操作中の要部側面図である。
【図９】従来のエレベータ巻上機用ブレーキの解放装置の操作前の状態を示す要部横断面図である。
【図１０】従来のエレベータ巻上機用ブレーキの解放装置の操作中の状態を示す要部横断面図である。
【図１１】従来のエレベータ巻上機用ブレーキの解放装置の要部側面図である。
【符号の説明】
【００３４】
１  電磁ブレーキ
２  ハウジング
３  主軸
４  回転体
５  ブレーキドラム
６  固定鉄心
７  コイル
８  可動鉄心
９  制動ばね
１０  支持軸
１１  ブレーキシュー
１２  ブレーキライニング
１３  ブレーキ解放用ボルト
１４  ブレーキ解放用特殊座金
１５  解放レバー
【図１】
2008207934.tif 000003
【図２】
2008207934.tif 000004
【図３】
2008207934.tif 000005
【図４】
2008207934.tif 000006
【図５】
2008207934.tif 000007
【図６】
2008207934.tif 000008
【図７】
2008207934.tif 000009
【図８】
2008207934.tif 000010
【図９】
2008207934.tif 000011
【図１０】
2008207934.tif 000012
【図１１】
2008207934.tif 000013